(57)【要約】【課題】従来の健康リングは、金属素材のリングを磁気化したもだけであるので、天然健康素材として注目されるトルマリンやラジウムを含有するリングに、交通安全に寄与する反射素材を組み合わせた健康リングを提供する。【解決手段】身体の手首や足首などに巻き付けられる適度な大きさで、かつ弾性を有する合成樹脂素材に天然素材のトルマリン粉末又は粒を混入して成る、Ｃ字状のトルマリン弾性リング２を形成した外面左右に縁３，３を設けて成る凹部４に、薄いシート又はテープ状の裏面に接着剤５を施した反射材６を貼り付けた健康リング１を構成する。【選択図】図１
2004105667.tif 000002
【特許請求の範囲】
【請求項１】
Ｃ字状を成す弾性リングの形成材に、天然素材のトルマリンを混入して成るトルマリン弾性リングとし、該トルマリン弾性リングの外側に反射材を設けて成る反射機能付き健康リング。
【請求項２】
Ｃ字状を成す弾性リングの形成材に、天然素材のラジウムを混入して成るラジウム弾性リングとし、該ラジウム弾性リングの外側に反射材を設けて成る反射機能付き健康リング。
【請求項３】
弾性リングの両端部に、磁石を取り付けて成る請求項１又は請求項２に記載する反射機能付き健康リング。
【請求項４】
弾性リングの両端部に、トルマリン石を取り付けて成る請求項１又は請求項２に記載する反射機能付き健康リング。
【発明の詳細な説明】
【０００１】
【発明の属する技術分野】
本発明は、身体の健康に良い効果を与える素材として注目される、天然素材のトルマリンやラジウムを含有するリングに、交通安全の反射素材を組み合わせたリングを形成することで、人間はもとよりペットの健康増進にも寄与することができる健康リングに関する。
【０００２】
【従来の技術】
従来より、身体の健康増進のために提供される健康器具は、大きさはもとより機能や効能など様々な形態の物がある。その中における小さな健康具としては、磁気加工した腕リングや磁気ネックレスなどがあり、また交通安全と装飾を兼ねるリングなどもある。さらに最近はマイナスイオンや微弱電流を発生することで、健康に良い効果を与えるとされるトルマリン鉱石によるネックレスや腕輪なども提供されている。
【０００３】
加えて公知公開される技術の中には、身体の交通安全を対象とする反射効果と装飾を兼ねるリングとして、実用新案登録第３０２９１２１号による腕輪の技術が開示されている。この技術は、金属製の平板基板１０をＣ字状に曲げ形成した腕輪本体２を形成し、かつその腕輪２本体外周にシート状の反射材３０を取り付けた腕輪１の技術が提供されている。
【０００４】
【発明が解決しようとする課題】
以上のような健康リングや装飾リングなど様々あるが、いずれも次に示すような不便や欠点があった。まず古くから提供される磁気腕輪やネックレスは、身体が得られるものは磁気作用による効果しか得られず、また金属素材であるので重く、中には金属によるアレルギーで使用できない人も居る。
【０００５】
さらに最近注目されているトルマリンネックレスや腕輪は、宝飾性を主とするものであるので、きれいに加工した数多くのトルマリン粒を連結する必要から、加工に手間と時間が掛かることによるコスト高は避けられず、またトルマリン作用効果しか得られないものであった。
【０００６】
加えて実用新案登録第３０２９１２１号に開示される腕輪は、金属製によるＣ字状の腕輪の外周に反射材を組み合わせただけの技術であるため、交通安全の反射効果はあるが、身体に有効な作用効果など得られない腕輪であるとともに、金属製であるので前記同様に金属アレルギーの人は使えない腕輪である。
【０００７】
【課題を解決するための手段】
以上のような従来のリングがもつ不便や欠点を解消した健康リングを提供するために、手首や足首にはめられる大きさのリングの形成材を弾性ある合成樹脂素材を採用し、その樹脂素材に、健康に良い作用効果を与えるとされる天然鉱物によるトルマリンやラジウムを含有したＣ字状のリングやその両端部に磁石やトルマリン石を取り付け、さらにリングの外周には交通安全に効果ある反射材を備えた健康リングを構成することにより、人間の手足はもとよりペットの首などに取り付けて健康増進を図れる健康リングを構成する。
【０００８】
【発明の実施の形態】
本発明における健康リング１は前記の目的を達成するために、合成樹脂素材に身体に良い作用効果を与えるトルマリン粉末やラジウムを混入したＣ字状のトルマリン弾性リング２及びラジウム弾性リング７を基本構成とし、さらにそのリング外周には、ライトや光りが当たると反射発光する反射材６を、前記したトルマリン弾性リング２及びラジウム弾性リング７に組み合わせた健康リング１を構成する。
【０００９】
以上のようなＣ字状を成すトルマリン弾性リング２及びラジウム弾性リング７の両端部には、さらに磁石８又はトルマリン石９を取り付けることで、異なる作用効果を持つ素材による相乗効果を得られる健康リング１を構成するが、さらに具体的な実施例を次に詳述する。
【００１０】
【実施例】
実施例１
本発明による健康リングの実施例１を図１に示す一部剥離した斜視図と図２に示すＡ−Ａ線断面図及び図３に示す斜視図を参照して説明する。
まず、実施例１の健康リング１は、身体の手首や足首、首などに巻き付けられる適度な大きさでかつＣ字状を成すリングを、合成樹脂素材に天然鉱石のトルマリン粉末又は細粒を混入して成るトルマリン弾性リング２を形成した外側左右に縁３，３を設けて成る凹部４を一定形成し、さらにトルマリン弾性リング２の凹部４に、薄いシート又はテープ状の裏面に接着剤５を施した反射材６を貼り付けて実施例１の健康リング１を構成する。
【００１１】
実施例１における健康リング１はＣ字状の弾性リングであるので、手首や足首に簡単にはめられ、かつリングにはマイナスイオンや微弱電流を発生するトルマリンを混入して成るトルマリン弾性リング２であるので、前記するマイナスイオオンや微弱電流による様々な作用効果を得られるとともに、その外周には反射材６を備えているので交通安全及び装飾効果も得られ、かつ反射材６の周部は縁３を設けているので剥れることはない。
【００１２】
実施例２
実施例２の健康リングを図４に示す斜視図を参照して説明する。
本実施例の健康リング１は、前記実施例１と基本構成は同じであるが健康リング１を形成するリングが、合成樹脂素材に天然のラジウム粉末又は粒を混入したラジウム弾性リング７を形成し、そのラジウム弾性リング７の外面左右に設けた縁３の内側面に、前記実施例同様の反射材６を貼り付けて実施例２の健康リング１を構成する。
【００１３】
本実施例における健康リング１は、ラジウムを混入して成るラジウム弾性リング７を構成するので、ラジウム放射を身体に効果的に得られることと、前記実施例同様の反射効果がある。
【００１４】
実施例３
実施例３の健康リングを図５に示す斜視図を参照して説明する。
実施例３に示す健康リング１は、前記実施例１に示したものと同様に、合成樹脂素材にトルマリン粉末や粒を混入して成る、Ｃ字状の縁３付きトルマリン弾性リング２の両端部に磁石８，８を取り付け、さらに前記トルマリン弾性リング２の外面に反射材６を貼り付けて実施例３の健康リング１を構成する。
【００１５】
実施例３の健康リング１は、前記実施例１タイプのトルマリン弾性リング２の両端部に磁石８を備えているので、トルマリン作用効果とともに磁石８による血流促進効果も合わせて得られる構成である。
【００１６】
実施例４
実施例４の健康リングを図６に示す斜視図を参照して説明する。
本実施例における健康リング１は、前記実施例２に示したラジウム弾性リング７の両端部に、トルマリン原石を見栄えよく加工したトルマリン石９，９を取り付けて成る、ラジウム弾性リング７の外面に設けた縁３の内側面に反射材６を貼り付けて実施例４の健康リング１を構成する。
【００１７】
この実施例における健康リング１は、前記実施例２タイプのラジウム弾性リング２の両端部に、宝石にも使われているトルマリン原石を加工したトルマリン石９を取り付けているので、ラジウム及びトルマリン石９による相乗効果とともに美しさも合わせて得られる構成である。
【００１８】
本発明による健康リング１は以上のような構成であるが、その実施例における各弾性リングの素材は軽くて加工しやすい合成樹脂が好ましいが、多少の弾性があれば金属素材でもよく、また外側面に設ける凹部４は、貼り付けた反射材６が剥れにくくするための縁３を設けているが、反射材６が薄くかつ強力に接着できるものであれば、縁３や凹部４は必ずしも無くても構わない。さらに反射材６は、薄いテープ状であるが低い立体状でもよく、また再帰性やマイクロプリズムタイプいずれの反射部材でも差し支えない。尚、弾性リングはトルマリンやラジウムを混合したものであるが、リング自体を磁化したタイプ、もしくはリングの内側に磁気テープを取り付けたけたリングに反射材を設けた健康リングでも構わない。加えて、ペットなどを対象とする健康リング１においては、別途にダニやノミなどの駆除剤を塗布しても差し支えず、その場合でも効果や有効性は変わるものではない。
【００１９】
【発明の効果】
本発明における健康リングは、天然鉱石素材を採用したリングとともに、反射素材を備えているので次に示すような特徴や効果を提供する。
健康リングを形成する素材は弾性を有する合成樹脂素材でＣ字状に形成したものであり、かつそのリングには天然素材で身体に有効な作用効果を与えるトルマリンやラジウムを混入して成るリングであるので、手首や足首に取り付ける際は容易に着脱できるとともに軽いリングである。また前記するトルマリンによるマイナスイオン効果及びラジウム放射による作用効果を、常時身体に有効に取り込める健康リングである。
【００２０】
さらに健康リングの外周には反射材を組み合わせているので、交通安全に寄与するとともに外観的にも美しいリングである。加えて前記したトルマリン弾性リング及びラジウム弾性リングの両端部に磁石やトルマリン石を組み合わせたタイプは、異なる素材による複合的な作用効果を得られるリングであり、また構成はシンプルであるので加工コストも安価にして広く提供できるとともに、その弾性と取り扱い易さにより使用場所も任意であるので、人の健康目的はもとより、愛するペットの首に取り付けて動物の健康維持にも使えるなど、従来には見られない多様な使い方が可能な健康リングを提供する。
【図面の簡単な説明】
【図１】本発明の健康リングの実施例１を示す一部剥離した斜視図である。
【図２】実施例１のＡ−Ａ線拡大断面図である。
【図３】実施例１の健康リングを示す斜視図である。
【図４】実施例２の健康リングを示す斜視図である。
【図５】実施例３の健康リングを示す斜視図である。
【図６】実施例４の健康リングを示す斜視図である。
【符号の説明】
１・・健康リング、２・・トルマリン弾性リング、３・・縁、４・・凹部、５・・接着剤、６・・反射材、７・・ラジウム弾性リング、８・・磁石、９・・トルマリン石
【図１】
2004105667.tif 000003
【図２】
2004105667.tif 000004
【図３】
2004105667.tif 000005
【図４】
2004105667.tif 000006
【図５】
2004105667.tif 000007
【図６】
2004105667.tif 000008